(57)【要約】      （修正有）【課題】複合コンテンツ（リッチコンテンツ）プログラム、ウェブページの作成及び修正変更が容易で、端末装置に表示された複合コンテンツウェブページを利用しやすい複合コンテンツ作成システム、複合コンテンツ表示方法及び表示プログラムの提供。【解決手段】複合コンテンツ表示プログラムファイルにタイマープログラム部を設け、複合コンテンツ表示プログラムファイルにおいて時間を管理せしめ、また、各素材表示コンポーネントプログラムファイルに命令実行プログラム部を設け、複合コンテンツ表示プログラムファイルにタイマー連動プログラムを設け、一の素材表示コンポーネントプログラムファイルを制御せしめることにより他の素材表示コンポーネントプログラムファイルを制御できる。【選択図】図１
2010039549.tif 000002
【特許請求の範囲】
【請求項１】
サーバ装置にネットワークを介して接続される端末装置のモニタに素材ファイルを表示せしめる素材表示プログラムを有する素材表示コンポーネントプログラムファイルを、上記端末装置の演算記憶装置により上記端末装置のモニタに素材表示コンポーネントウェブページとして複数表示せしめる表示プログラムと、
上記演算記憶装置にタイマーを設定し時間を管理せしめるタイマープログラム部と、
表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、
上記タイマープログラム部で管理されるタイマーの経過時間にともなって、上記シナリオデータ呼び出し部により呼び出された上記シナリオデータベースに基づき上記表示開始時間情報に対応する素材ファイル表示情報をこの素材ファイル表示情報に対応する素材表示コンポーネントウェブページに順次反映せしめる同期プログラム部とよりなることを特徴とする
複合コンテンツ表示プログラム。
【請求項２】
サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置の演算記憶装置により素材表示コンポーネントウェブページとして複数表示せしめる表示プログラムと、
上記演算記憶装置にタイマーを設定し時間を管理せしめるタイマープログラム部と、
表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、
上記タイマープログラム部で管理されるタイマーの経過時間にともなって、上記シナリオデータ呼び出し部により呼び出された上記シナリオデータベースに基づき上記表示開始開始情報に対応する素材ファイル表示情報をこの素材ファイル表示情報に対応する素材表示コンポーネントウェブページに順次反映せしめ、
また、上記素材表示コンポーネントプログラムファイルの上記命令実行プログラムが上記演算記憶装置により実行された場合に、上記シナリオデータ呼び出し部により呼び出された上記シナリオデータベースに基づき、他の素材表示コンポーネントウェブページにそのウェブページに対応する素材ファイル表示情報を反映せしめる同期プログラム部とよりなることを特徴とする複合コンテンツ表示プログラム。
【請求項３】
上記同期プログラムは、上記タイマープログラム部で管理される所望の時間間隔で上記タイマーの経過時間と上記シナリオデータベースに記憶した各表示開始時間情報を比較して、上記経過時間と上記表示開始時間情報が一致するか否かを判定する第一の判定プログラムと、一致する表示開始時間情報があると判断した場合には、上記シナリオデータベースに記憶した上記表示開始時間情報と対に記憶した素材表示コンポーネントプログラムファイル情報と素材ファイル表示情報に基づき、上記端末装置のモニタに表示された素材表示コンポーネントウェブページにその素材ファイル表示情報を反映せしめる第一の表示プログラムと、
各素材表示コンポーネントプログラムファイルの上記命令実行プログラムが上記演算記憶装置により実行された場合に、その実行した後の上記シナリオデータ呼び出し部により呼び出された上記シナリオデータベースに基づく上記素材表示コンポーネントプログラムファイルに対応する表示開始時間情報又は上記素材表示コンポーネントプログラムファイルの再生時間に、上記タイマープログラム部で管理されるタイマーの経過時間を連動せしめるタイマー連動プログラムと、
上記連動されたタイマーの経過時間に、上記シナリオデータベースに基づき他の各素材表示コンポーネントウェブページにどの素材ファイル表示情報が反映されるかを判定する第二の判定プログラムと、
上記判定された素材ファイル表示情報を対応する素材表示コンポーネントウェブファイルに反映せしめる第二の表示プログラムとを有することを特徴とする請求項２記載の複合コンテンツ表示プログラムファイル。
【請求項４】
サーバ装置にネットワークを介して接続される端末装置のモニタに素材ファイルを表示せしめる素材表示プログラムを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラム部で管理されるタイマーの経過時間に従って、上記素材表示コンポーネントウェブページに上記素材ファイル表示情報を反映せしめる第三のステップと
よりなる事を特徴とする複合コンテンツ表示方法。
【請求項５】
サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラムで管理されるタイマーの経過時間に従って、上記素材表示コンポーネントウェブページに上記素材ファイル表示情報を反映せしめる第三のステップと、
上記素材表示コンポーネントプログラムファイルの上記命令実行プログラムが上記演算記憶装置により実行された場合に、上記シナリオデータベースに基づき、他の素材表示コンポーネントウェブページにそのウェブページに対応する素材ファイル表示情報を反映せしめる第四のステップよりなることを特徴とする複合コンテンツ表示方法。
【請求項６】
サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラム部で管理されるタイマーの経過時間に従って、上記素材表示コンポーネントウェブページに上記素材ファイル表示情報を反映せしめる第三のステップと、
上記素材表示コンポーネントプログラムファイルの上記命令実行プログラムが上記演算記憶装置により実行された場合に、その実行した後の上記シナリオデータ呼び出し部で呼び出された上記シナリオデータベースに基づく上記素材表示コンポーネントプログラムファイルに対応する表示開始情報又は上記素材表示コンポーネントプログラムファイルの再生時間に、上記タイマープログラム部で管理されるタイマーの経過時間を連動せしめる第四のステップと、
上記連動されたタイマーの経過時間に、上記シナリオデータベースに基づき他の各素材表示コンポーネントプログラムファイルにどの素材ファイル表示情報が反映されるのかを判定する第五のステップと、
上記判定された素材ファイル表示情報を対応する素材表示コンポーネントウェブファイルに反映せしめる第六のステップとよりなることを特徴とする複合コンテンツ表示方法。
【請求項７】
サーバ装置と、上記サーバ装置にネットワークを介して接続される、モニタを有する端末装置とよりなり、
上記サーバ装置は、ファイル送受信部と、記憶部と、演算処理部と、上記記憶部に記憶した複数の複合コンテンツ作成用ウェブページファイルと、素材表示コンポーネントプログラムファイル作成装置と複合コンテンツ表示プログラムファイル作成装置とウェブページ作成装置とを有する複合コンテンツ作成装置と、ネットワーク接続部と、上記記憶部に記憶したウェブページをネットワークを介して上記端末装置で閲覧可能ならしめるウェブサーバとよりなり、
上記端末装置は、ファイル送受信部と、演算記憶装置と、入力部と、ネットワーク接続部とを有し、
上記素材表示コンポーネントプログラムファイル作成装置は、上記サーバ装置の記憶部に記憶せしめた素材ファイルを上記端末装置の演算記憶装置に表示せしめる素材表示プログラムと、上記素材ファイルの呼び出し表示を制御せしめる命令実行プログラムとを有する素材表示コンポーネントプログラムファイルを作成せしめ、
上記複合コンテンツ表示プログラム作成装置は、上記サーバ装置の記憶部に記憶された複数の素材表示コンポーネントプログラムファイルを上記端末装置のモニタに素材表示コンポーネントウェブページとして所定の配置で複数表示せしめる表示プログラムと、上記演算記憶装置にタイマーを設定し時間を管理せしめるタイマープログラム部と、表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、上記タイマープログラム部で管理されるタイマーの経過時間にともなって、上記各素材表示コンポーネントプログラム情報に対応する素材ファイル表示情報を上記素材表示コンポーネントウェブページに反映せしめ、また、上記素材表示コンポーネントプログラムに上記命令実行プログラムが上記演算記憶装置により実行された場合に、上記タイマーの経過時間を上記素材コンポーネントプログラムファイルに同期せしめる同期プログラム部とよりなる複合コンテンツ表示プログラムを作成せしめ、
上記端末装置からネットワークを介して上記サーバ装置を操作し、素材ファイルを上記サーバ装置に記憶せしめ、上記素材表示コンポーネントプログラムファイル及び複合コンテンツ表示プログラムファイルを作成し上記サーバ装置に記憶せしめ、上記作成した素材表示コンポーネントプログラムファイル及び複合コンテンツ表示プログラムファイルをネットワークを介して他の端末装置で呼び出し、上記端末装置の演算記憶装置により実行せしめて素材表示コンポーネントウェブページ及び複合コンテンツ表示ウェブページを上記端末装置のモニタで閲覧可能ならしめることを特徴とする複合コンテンツ作成システム。
【発明の詳細な説明】
【技術分野】
【０００１】
本発明は複合コンテンツ作成システム、複合コンテンツ表示方法及び表示プログラム、特に複合コンテンツ（リッチコンテンツ）プログラム、ウェブページの作成及び修正変更が容易で、パーソナルコンピュータ、携帯電話、デジタルサイネージなどの端末装置に表示された複合コンテンツウェブページを利用しやすいものにしたことを特徴とする複合コンテンツ作成システム、複合コンテンツ表示方法及び表示プログラムに関するものである。
【背景技術】
【０００２】
従来、パーソナルコンピュータなどの端末装置により、インターネットを介して動画、パワーポイント、静止画又はテキスト文書などの複数の素材を同時にモニタ上に表示した複合コンテンツウェブページを閲覧することができる。
【０００３】
上記端末装置のモニタ上に複合コンテンツウェブページを表示せしめるための複合コンテンツ表示プログラムファイルは作成が非常に複雑であるので、企業や個人の複合コンテンツ配信希望者は、複合コンテンツ作成業者にこれらのプログラムファイルの作成を依頼し、出来上がったファイルを上記作成業者から受け取り、これをサーバ装置に記憶せしめてインターネットを通じて第三者に配信していた。
【発明の開示】
【発明が解決しようとする課題】
【０００４】
しかしながら、上記のような従来の複合コンテンツプログラムファイルは、動画と複数の静止画像等の同期が動画ファイルに埋め込まれ、動画及び動画に同期して表示される複数の静止画像等がフラッシュファイルなどの一つのファイルとして作成しなければならない欠点があった。
【０００５】
また、動画ファイルに同期情報を埋め込み、動画及び各素材を一つのファイルとして作成するので、複合コンテンツプログラムファイルの作成が複雑で、また、一度作成した複合コンテンツプログラムファイルを修正するには、複合コンテンツプログラムファイルを再度作り直す必要があり、複合コンテンツ配信希望者は再度複合コンテンツ作成業者に作成を依頼せざるを得なかった。
【０００６】
また、端末装置に複合コンテンツ作成システムを有していなければ、複合コンテンツプログラムファイルを作成する事ができず、企業や個人が手軽に複合コンテンツを作成する事ができないという欠点があった。
【０００７】
本発明は上記のような欠点を除くようにしたものである。
【課題を解決するための手段】
【０００８】
本発明の複合コンテンツ表示プログラムは、サーバ装置にネットワークを介して接続される端末装置のモニタに素材ファイルを表示せしめる素材表示プログラムを有する素材表示コンポーネントプログラムファイルを、上記端末装置の演算記憶装置により上記端末装置のモニタに素材表示コンポーネントウェブページとして複数表示せしめる表示プログラムと、
上記演算記憶装置にタイマーを設定し時間を管理せしめるタイマープログラム部と、
表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、
上記タイマープログラム部で管理されるタイマーの経過時間にともなって、上記シナリオデータ呼び出し部により呼び出された上記シナリオデータベースに基づき上記表示開始時間情報に対応する素材ファイル表示情報をこの素材ファイル表示情報に対応する素材表示コンポーネントウェブページに順次反映せしめる同期プログラム部とよりなることを特徴とする。
【０００９】
また、本発明の複合コンテンツ表示プログラムは、サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置の演算記憶装置により素材表示コンポーネントウェブページとして複数表示せしめる表示プログラムと、
上記演算記憶装置にタイマーを設定し時間を管理せしめるタイマープログラム部と、
表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、
上記タイマープログラム部で管理されるタイマーの経過時間にともなって、上記シナリオデータ呼び出し部により呼び出された上記シナリオデータベースに基づき上記表示開始開始情報に対応する素材ファイル表示情報をこの素材ファイル表示情報に対応する素材表示コンポーネントウェブページに順次反映せしめ、
また、上記素材表示コンポーネントプログラムファイルの上記命令実行プログラムが上記演算記憶装置により実行された場合に、上記シナリオデータ呼び出し部により呼び出された上記シナリオデータベースに基づき、他の素材表示コンポーネントウェブページにそのウェブページに対応する素材ファイル表示情報を反映せしめる同期プログラム部とよりなることを特徴とする。
【００１０】
また、上記同期プログラムは、上記同期プログラムは、上記タイマープログラム部で管理される所望の時間間隔で上記タイマーの経過時間と上記シナリオデータベースに記憶した各表示開始時間情報を比較して、上記経過時間と上記表示開始時間情報が一致するか否かを判定する第一の判定プログラムと、一致する表示開始時間情報があると判断した場合には、上記シナリオデータベースに記憶した上記表示開始時間情報と対に記憶した素材表示コンポーネントプログラムファイル情報と素材ファイル表示情報に基づき、上記端末装置のモニタに表示された素材表示コンポーネントウェブページにその素材ファイル表示情報を反映せしめる第一の表示プログラムと、
各素材表示コンポーネントプログラムファイルの上記命令実行プログラムが上記演算記憶装置により実行された場合に、その実行した後の上記シナリオデータ呼び出し部により呼び出された上記シナリオデータベースに基づく上記素材表示コンポーネントプログラムファイルに対応する表示開始時間情報又は上記素材表示コンポーネントプログラムファイルの再生時間に、上記タイマープログラム部で管理されるタイマーの経過時間を連動せしめるタイマー連動プログラムと、
上記連動されたタイマーの経過時間に、上記シナリオデータベースに基づき他の各素材表示コンポーネントウェブページにどの素材ファイル表示情報が反映されるかを判定する第二の判定プログラムと、
上記判定された素材ファイル表示情報を対応する素材表示コンポーネントウェブファイルに反映せしめる第二の表示プログラムとを有することを特徴とする。
【００１１】
また、複合コンテンツ表示方法は、サーバ装置にネットワークを介して接続される端末装置のモニタに素材ファイルを表示せしめる素材表示プログラムを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラム部で管理されるタイマーの経過時間に従って、上記素材表示コンポーネントウェブページに上記素材ファイル表示情報を反映せしめる第三のステップと
よりなる事を特徴とする。
【００１２】
また、本発明の複合コンテンツ表示方法は、サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラムで管理されるタイマーの経過時間に従って、上記素材表示コンポーネントウェブページに上記素材ファイル表示情報を反映せしめる第三のステップと、
上記素材表示コンポーネントプログラムファイルの上記命令実行プログラムが上記演算記憶装置により実行された場合に、上記シナリオデータベースに基づき、他の素材表示コンポーネントウェブページにそのウェブページに対応する素材ファイル表示情報を反映せしめる第四のステップよりなることを特徴とする。
【００１３】
また、本発明の複合コンテンツ表示方法は、サーバ装置にネットワークを介して接続される端末装置のモニタに素材ファイルを表示せしめる素材表示プログラムと、上記素材ファイルの呼び出し表示を制御せしめる命令実行プログラムとを有する素材表示コンポーネントプログラムファイルを、上記端末装置に設けた演算記憶装置により素材表示コンポーネントウェブページとして複数上記端末装置のモニタに表示せしめる第一のステップと、
上記端末装置の演算記憶装置にタイマーを設定し時間を管理せしめる第二のステップと、
表示開始時間情報と、これに対に記憶せしめた素材表示コンポーネントプログラムファイル情報及び素材ファイル表示情報とよりなるデータの複数を有するシナリオデータベースに基づき、上記演算記憶部により、上記タイマープログラム部で管理されるタイマーの経過時間に従って、上記素材表示コンポーネントウェブページに上記素材ファイル表示情報を反映せしめる第三のステップと、
上記素材表示コンポーネントプログラムファイルの上記命令実行プログラムが上記演算記憶装置により実行された場合に、その実行した後の上記シナリオデータ呼び出し部で呼び出された上記シナリオデータベースに基づく上記素材表示コンポーネントプログラムファイルに対応する表示開始情報又は上記素材表示コンポーネントプログラムファイルの再生時間に、上記タイマープログラム部で管理されるタイマーの経過時間を連動せしめる第四のステップと、
上記連動されたタイマーの経過時間に、上記シナリオデータベースに基づき他の各素材表示コンポーネントプログラムファイルにどの素材ファイル表示情報が反映されるのかを判定する第五のステップと、
上記判定された素材ファイル表示情報を対応する素材表示コンポーネントウェブファイルに反映せしめる第六のステップとよりなることを特徴とする。
【００１４】
また、本発明の複合コンテンツ作成システムは、サーバ装置と、上記サーバ装置にネットワークを介して接続される、モニタを有する端末装置とよりなり、
上記サーバ装置は、ファイル送受信部と、記憶部と、演算処理部と、上記記憶部に記憶した複数の複合コンテンツ作成用ウェブページファイルと、素材表示コンポーネントプログラムファイル作成装置と複合コンテンツ表示プログラムファイル作成装置とウェブページ作成装置とを有する複合コンテンツ作成装置と、ネットワーク接続部と、上記記憶部に記憶したウェブページをネットワークを介して上記端末装置で閲覧可能ならしめるウェブサーバとよりなり、
上記端末装置は、ファイル送受信部と、演算記憶装置と、入力部と、ネットワーク接続部とを有し、
上記素材表示コンポーネントプログラムファイル作成装置は、上記サーバ装置の記憶部に記憶せしめた素材ファイルを上記端末装置の演算記憶装置に表示せしめる素材表示プログラムと、上記素材ファイルの呼び出し表示を制御せしめる命令実行プログラムとを有する素材表示コンポーネントプログラムファイルを作成せしめ、
上記複合コンテンツ表示プログラム作成装置は、上記サーバ装置の記憶部に記憶された複数の素材表示コンポーネントプログラムファイルを上記端末装置のモニタに素材表示コンポーネントウェブページとして所定の配置で複数表示せしめる表示プログラムと、上記演算記憶装置にタイマーを設定し時間を管理せしめるタイマープログラム部と、表示開始時間情報と、これに対に記憶せしめた素材表示コンポーネントプログラムファイル情報及び素材ファイル表示情報とよりなるデータの複数を有するシナリオデータベースを呼び出すシナリオデータ呼び出し部と、上記タイマープログラム部で管理されるタイマーの経過時間にともなって、上記各素材表示コンポーネントプログラム情報に対応する素材ファイル表示情報を上記素材表示コンポーネントウェブページに反映せしめ、また、上記素材表示コンポーネントプログラムに上記命令実行プログラムが上記演算記憶装置により実行された場合に、上記タイマーの経過時間を上記素材コンポーネントプログラムファイルに同期せしめる同期プログラム部とよりなる複合コンテンツ表示プログラムを作成せしめ、
上記端末装置からネットワークを介して上記サーバ装置を操作し、素材ファイルを上記サーバ装置に記憶せしめ、上記素材表示コンポーネントプログラムファイル及び複合コンテンツ表示プログラムファイルを作成し上記サーバ装置に記憶せしめ、上記作成した素材表示コンポーネントプログラムファイル及び複合コンテンツ表示プログラムファイルをネットワークを介して他の端末装置で呼び出し、上記端末装置の演算記憶装置により実行せしめて素材表示コンポーネントウェブページ及び複合コンテンツ表示ウェブページを上記端末装置のモニタで閲覧可能ならしめることを特徴とする。
【発明の効果】
【００１５】
本発明の複合コンテンツ作成システムは、素材ファイルの種類ごとに、端末装置のモニタに素材ファイルを表示せしめる専用の素材表示コンポーネントプログラムファイルを複数作成せしめ、また、複数の上記素材表示コンポーネントプログラムファイルを所定の配置で素材表示コンポーネントウェブページとして表示せしめる複合コンテンツ表示プログラムファイルを作成せしめるので、各素材表示コンポーネントプログラムファイル及び複合コンテンツ表示プログラムファイルをそれぞれ独立して作成、編集できるので、複合コンテンツの作成、編集が容易であるという大きな利益がある。
【００１６】
また、複合コンテンツ表示プログラムは、各素材表示コンポーネントプログラムファイルを実行せしめ、サーバ装置の記憶部に記憶された素材ファイルを順次呼び出すようにした。
【００１７】
また、複合コンテンツ表示プログラムにタイマープログラム部を設け時間を管理せしめ、このタイマープログラム部により上記端末装置の演算記憶装置で実行されるタイマーの経過時間に基づいて、上記各素材表示コンポーネントプログラムファイルを実行せしめ動かすので、従来のように動画ファイルの時間経過に依存することがないので、複数の動画ファイルなどを複合コンテンツに組み込むことができるなど、複合コンテンツの作成の自由度を大きくすることができるようになる。
【００１８】
また、上記素材表示コンポーネントプログラムファイルに各素材ファイルを表示又は素材ファイルの表示方法の制御のための命令実行プログラムを設け、また、上記複合コンテンツ表示プログラムにタイマー連動プログラムを設けたので、各素材表示コンポーネントプログラムファイルに他の素材表示コンポーネントプログラムファイルを容易に連動せしめることができる。
【発明を実施するための最良の形態】
【００１９】
以下図面によって本発明の実施例を説明する。
【実施例１】
【００２０】
本発明の複合コンテンツ作成システムは、図１に示すように、サーバ装置１と、上記サーバ装置１とインターネットなどのネットワーク２を介して接続される企業や個人などの複合コンテンツ作成者が所有するパーソナルコンピュータ、携帯電話、デジタルサイネージなどのモニタ３を有する端末装置４とよりなる。
【００２１】
上記端末装置４は、図２に示すように、上記サーバ装置１から複合コンテンツ表示プログラムファイルをダウンロードしてモニタ３上に複合コンテンツウェブページを表示せしめための装置であり、ファイルのアップロード及びダウンロード可能なファイル送受信装置５と、オペレーションシステムやフラッシュファイルを再生するためのフラッシュ再生装置や上記サーバ装置１に記憶した動画ファイルを上記端末装置４で再生せしめるための端末装置側動画再生装置など各種プログラムを記憶し実行せしめる演算記憶装置６と、上記モニタ３に画面を表示せしめる画像処理部７と、キーボードやボタン操作装置などの入力装置８からの指示信号を上記演算記憶装置６に入力する入力部９と、ネットワーク３に接続せしめるためのネットワーク接続部１０とを有する。
【００２２】
上記サーバ装置１は、図１に示すように、動画ファイル、複数のスライドからなるパワーポイントファイル、フラッシュファイル、音声ファイル、イメージファイルなどの静止画ファイル、テキスト文書ファイルやＨＴＭＬファイルなどのウェブページファイル（データ）などの各素材ファイル（データ）を記憶せしめる記憶部１１と、上記端末装置４から上記ネットワーク２を介して上記素材ファイル等を上記サーバ装置１に受信（アップロード）せしめる受信部１２と、上記サーバ装置１に記憶した上記各素材ファイルやウェブページファイル等を上記ネットワーク２を介して上記端末装置４に送信（ダウンロード）せしめる送信部１３と、上記記憶部１１に記憶した、複合コンテンツ作成のための作業画面などを端末装置４に表示せしめる複数の複合コンテンツ作成用ウェブページファイルと、上記複合コンテンツ作成用ウェブページファイルを用いて、複合コンテンツ表示プログラムファイル等を作成する、フラッシュファイル作成装置を有する複合コンテンツ作成装置１４と、上記ウェブページやフラッシュファイルを編集する編集装置１５と、上記記憶部１１に記憶した動画ファイルを上記端末装置４で再生せしめるためのサーバ装置側動画再生装置１６と、各装置やプログラムを実行せしめるための演算処理部１７と、ネットワーク２に接続せしめるためのネットワーク接続部１８と、上記記憶部１１に記憶したウェブページをネットワークを介して上記端末装置４のモニタ３に閲覧可能ならしめるウェブサーバ１９と、上記サーバ装置１の運用管理等を行なう運用管理部２０と、顧客管理等を行なう顧客管理部２１と、顧客管理用データベース２２とよりなる。
【００２３】
なお、上記受信部１２、送信部１３、複合コンテンツ作成装置１４、編集装置１５、サーバ装置側動画再生装置１６等はそれぞれ上記記憶部１１に記憶されたプログラムで上記演算処理部１７で実行されるものである。
【００２４】
また、上記複合コンテンツ作成装置１４は、上記サーバ装置１の記憶部１１に記憶された１又は複数の素材ファイルを順次上記端末装置４のモニタ３に表示せしめる（素材ファイルの表示方法を変更して表示せしめるものも含む）素材表示プログラム部を有する、例えばフラッシュファイルよりなる素材表示コンポーネントプログラムファイルＡを作成せしめる素材表示コンポーネントプログラムファイル作成装置２３と、
上記サーバ装置１の記憶部１１に記憶された複数の素材表示コンポーネントプログラムファイルを上記端末装置４のモニタ３に素材表示コンポーネントウェブページとして所定の配置で複数表示せしめる、例えばフラッシュファイルよりなる複合コンテンツ表示プログラムファイルＢ及びシナリオデータベースを作成する複合コンテンツ表示プログラムファイル作成装置２４とを有する。
【００２５】
また、上記複合コンテンツ作成装置の素材表示コンポーネントプログラムファイル作成装置２３により作成される上記素材表示コンポーネントプログラムファイルＡは、図４に示すように、背景や色やフッターヘッター有無情報などの、素材ファイルの枠となる部分を端末装置４のモニタ３上に表示せしめるための素材表示コンポーネントウェブページ情報データ２５と、表示せしめる素材ファイルの大きさや上記素材表示コンポーネントウェブページ内での配置や色調などを設定する素材ファイル情報データ２６と、サーバ装置１の記憶部１１に記憶された１又は複数の素材ファイルを順次上記端末装置４のモニタ３に表示せしめる素材表示プログラム部２７と、上記素材表示コンポーネントプログラムファイルの１又は複数の素材ファイルの順次の表示に対して再生開始（play）、再生停止（stop）、一時停止（pause）、次に移動（next）、前に移動（previous）、指定場所に移動（moveto）、巻き戻し（rewind）、先送り（forward）、早送り（fastmotion）、スロー再生（slowmotion）、コンポーネントファイルのモニタ３への表示非表示（setvisible）、コンポーネントファイルのモニタ３への表示サイズの設定（setdisplaysize）、音量設定（setvolume）、再生時間の取得（再生時間の表示）（getduration）、再生位置の取得（再生位置の表示）（getcurrentposition）、各種ステータスの取得（ステータスの表示）（setstatus）などの各種の命令を実行せしめる命令実行プログラム２８とを有する。
【００２６】
また、上記素材表示コンポーネントプログラムファイルは、作成、編集、管理を容易にするために、素材ファイルの種類ごとに作成され、上記素材表示コンポーネントプログラムファイルには例えば、動画ファイル（例えばMPGファイル）を端末装置４のモニタ３に表示せしめる動画再生用コンポーネントプログラムファイル、１又は複数のスライドからなるパワーポイントファイル（PDFファイル）を表示せしめるパワーポイント表示用コンポーネントプログラムファイル、１又は複数のＩＮＤＥＸファイル（TXTファイル）を順次表示せしめるＩＮＤＥＸ表示用コンポーネントプログラムファイル、１又は複数の解説ファイルを順次表示せしめる解説表示用コンポーネントプログラムファイル、１又は複数の関連資料ファイルを順次表示せしめる関連資料表示コンポーネントプログラムファイル、１又は複数のフラッシュファイル（SWFファイル）を順次表示せしめるフラッシュファイル再生用コンポーネントプログラムファイル、１又は複数のＨＴＭＬファイルを順次表示せしめるＨＴＭＬ表示用コンポーネントプログラムファイル、１又は複数の画像（例えば、JPEGファイル）を順次表示せしめる画像表示コンポーネントプログラムファイル、音声ファイルを表示せしめる音声再生コンポーネントプログラムファイル等がある。
【００２７】
なお、上記命令実行プログラムは、上記に表示したすべての命令を含めるようにしてもよく、またいくつかの命令を選択して含めるようにしてもよい。
【００２８】
また、上記各命令実行プログラムは、後に説明する同期プログラムにより他の素材コンポーネントプログラムファイルに影響を与える、再生開始、再生停止、一時停止、次に移動、前に移動、指定場所に移動、巻き戻し、先送り、早送り、スロー再生などの命令実行プログラムと、他の素材コンポーネントプログラムに影響を与えない、コンポーネントファイルのモニタ３への表示非表示、コンポーネントファイルのモニタ３への表示サイズの設定、音量設定、再生時間の取得（再生時間の表示）、再生位置の取得（再生位置の表示）、ステータスの取得などの命令実行プログラムに分けてもよい。
【００２９】
また、各素材表示コンポーネントプログラムに対して意味のない命令が指示された場合には、何も実行されない。
【００３０】
なお、上記記憶部１１に記憶された素材ファイルのほかに、他のサーバ装置に記憶された素材ファイルを呼び出せるようにしてもよい。また、上記素材ファイルには、上記素材ファイルの他に、本願発明の複合コンテンツ表示プログラムファイルも含まれる。
【００３１】
また、上記複数の解説ファイルを順次表示せしめる解説表示用コンポーネントプログラムファイルにおいては、例えば、サーバ装置１の記憶部１１に記憶された解説ファイル１（TXTファイル）、解説ファイル２（TXTファイル）、解説ファイル３（TXTファイル）が、下記に説明するシナリオデータベースに記載された各解説ファイル１，２，３の表示開始時間に従って、同期プログラムにより演算記憶装置で実行され、上記端末装置にアップロードされ、上記端末装置のモニタに表示された解説表示用コンポーネントウェブページに、上記各解説ファイルが端末装置のモニタに順次表示されるようになる。また、上記シナリオデータベースに上記解説ファイルの表示大きさを変更する旨の記載があれば、所定の経過時間経過後に表示大きさを変える。
【００３２】
また、上記複合コンテンツ作成装置１４の複合コンテンツ表示プログラムファイル作成装置２４により作成される上記複合コンテンツ表示プログラムファイルＢは、図４に示すように、背景や色やヘッターフッター有無情報などの、複数の素材表示コンポーネントウェブページの枠となる部分を端末装置４のモニタ３上に表示せしめるための複合コンテンツウェブページ情報データ２９と、上記複合コンテンツウェブページ内での各素材表示コンポーネントウェブファイルの配置など設定する素材表示コンポーネント情報データ３０と、複数の素材表示コンポーネントプログラムファイルＡを端末装置４のモニタ３に複数の素材表示コンポーネントウェブページとして表示せしめる表示プログラム部３１と、下記にそれぞれ説明する、タイマープログラム部３２と、例えば、上記サーバ装置１の記憶部１１に記憶せしめたシナリオデータベースを呼び出すシナリオデータ呼び出し部３３と、同期プログラム部３４とを有する。
【００３３】
なお、上記端末装置４の演算記憶装置６により、上記サーバ装置１の記憶部１１に記憶された複合コンテンツ表示プログラムファイルを端末装置４にダウンロードせしめモニタ３に表示せしめれば、図５に示すように、複合コンテンツウェブページ３５が表示され、上記複合コンテンツウェブページ３５上に所定の配置で複数の素材表示コンポーネントウェブページ３６が表示されるようになる。
【００３４】
なお、上記各素材表示コンポーネントウェブページ３６は上記複合コンテンツウェブページ上でそれぞれ自由に配置可能であり、各素材表示コンポーネントウェブページ３６が重なりあう場合もある。
【００３５】
また、複合コンテンツ表示プログラムファイルが実行される前には、上記各素材表示コンポーネントウェブページ３６には予め設定された初期画面が表示される。
【００３６】
また、上記初期画面には、上記サーバ装置１に記憶されている素材ファイルを呼び出し表示せしめても、何も表示させなくてもよい。
【００３７】
また、上記タイマープログラム部３２により、上記端末装置４の演算記憶装置６にタイマーが設定され、上記複合コンテンツ表示プログラムファイルＢが実行された時から時間経過等が管理されるようになる。
【００３８】
また、上記シナリオデータベースは、例えば上記サーバ装置１の記憶部１１に記憶され上記シナリオデータ呼び出し部３３により呼び出されるもので、上記複合コンテンツプログラムファイルが実行される前の複合コンテンツウェブページに表示される各素材表示コンポーネントウェブページの初期画面情報と、素材ファイルをモニタ３に表示を開始せしめたり、素材ファイルの表示方法を変更せしめたりする素材ファイル表示情報を上記素材表示ウェブページに反映させる表示開始時間などの表示開始時間情報と、この表示開始時間情報と対にして記憶せしめる、対応する素材表示コンポーネントプログラムファイル情報及び、上記素材ファイル名やその素材ファイルを記憶した場所のパス名などの素材ファイル名情報と上記素材ファイルの大きさなどの素材ファイル属性情報と素材表示コンポーネントウェブページの背景や大きさなどの素材表示コンポーネントウェブページ属性情報と上記複合コンテンツウェブページ上における上記素材表示コンポーネントウェブページの配置情報などの素材ファイル表示情報とからなるデータを複数有する。
【００３９】
また、上記シナリオデータベースの内容確認や編集用のために、上記シナリオデータベースの必要情報のみを表示せしめるシナリオ表示プログラムを上記サーバ装置の記憶部１１に設け、図６に示すように、上記シナリオ表示プログラムを上記端末装置４の演算記憶装置６により実行せしめて、シナリオウェブページＣを端末装置４のモニタ３に表示せしめるようにしてもよい。
【００４０】
なお、上記シナリオデータベースは上記サーバ装置１の記憶部１１に設けず、他のサーバ装置に設けるようにしてもよい。
【００４１】
また、上記同期プログラム３４は、図７に示すように、上記複合コンテンツ表示プログラムファイルの実行により上記タイマープログラム部が上記演算記憶装置により実行され（ステップ１）、演算記憶装置のタイマーが０秒及び、時間経過にともなって、例えば１００ｍｓなど所望の時間間隔（ステップ４）で経過時間と上記シナリオデータ呼び出し部３３により呼び出された上記シナリオデータベースに記憶された各表示開始時間とを比較して、上記タイマーの経過時間と上記表示開始時間が一致するか否かを判定する第一の判定プログラムと（ステップ２）、一致する表示開始時間があると判断した場合には、上記シナリオデータベースに記憶された上記表示開始時間と対に記憶した素材表示コンポーネントプログラムファイル情報及び素材ファイル表示情報などに基づき、上記端末装置４の演算記憶装置６により、上記素材表示コンポーネントウェブページにそのウェブページに対応する素材ファイル表示情報を反映させるために、上記サーバ装置１の記憶部１１に記憶した素材ファイルを上記端末装置４にダウンロードせしめ、上記端末装置４のモニタ３の複合コンテンツウェブページ上に表示された各素材表示コンポーネントウェブページに上記素材ファイルなどを表示せしめたり、素材ファイルの大きさなどの表示方法を変更せしめたりする第一の表示プログラム（ステップ３）とを有する。
【００４２】
なお、上記同期プログラム３４は、上記複合コンテンツ表示プログラムファイルが実行される前においては、上記シナリオデータベースに記憶された情報に従って、各素材表示コンポーネントウェブページの初期画面を上記端末装置４のモニタ３に表示せしめる。
【００４３】
上記第一の判定プログラム及び上記第一の表示プログラムは、例えば、図６に示すシナリオウェブページCに基づく場合、図５に示すように、まず、上記端末装置４のモニタ３にＩＮＤＸ表示用コンポーネントウェブページ、動画再生用コンポーネントウェブページ、パワーポイント表示用コンポーネントウェブページ、関連資料表示用コンポーネントウェブページの初期画面がそれぞれ表示されている状態から、上記複合コンテンツ表示プログラムを実行せしめた時、すなわち０秒時においては、上記第一の判定プログラム部により判定した結果、シナリオデータベースには表示開始時間が０秒のものがあるので、上記第一の表示プログラムにより、ＩＮＤＥＸ表示用コンポーネントウェブページに上記サーバ装置の記憶部からシーン１ファイルを呼び出し表示せしめ、動画再生コンポーネントウェブページに動画ファイルを同様に上記サーバ装置の記憶部から呼び出し再生開始せしめ、パワーポイント表示コンポーネントウェブページに同様に最初のページを表示せしめ、また、所望の時間、例えば１００ｍｓおきに上記第一の判定プログラムを実行させるとして、１００ｍｓ経過した時は、上記シナリオデータベースに表示開始時間データがないので第一の表示プログラムは実行されず、同様に１００ｍｓ経過ごとに上記第一の判定プログラムを実行を繰り返し、１分経過した時は、上記第一の判定プログラム部により判定した結果、シナリオデータベースに表示開始時間が１分のものがあるので、上記第一の表示プログラムによりＩＮＤＥＸ表示用コンポーネントウェブページにシーン２ファイルを、パワーポイント表示コンポーネントウェブページに次ページを表示せしめる。
【００４４】
なお、上記タイマーのスタート時は、複合コンテンツ表示プログラムファイルで表示される複合コンテンツウェブページにスタートボタンなどを表示せしめ、このスタートボタンが実行された場合とするほか、動画再生コンポーネントプログラムファイルや音声再生コンポーネントプログラムファイルの再生開始時又は素材ファイルの再生開始時をスタート時にしたり、他の素材表示コンポーネントプログラムの実行時又は素材ファイルの実行時としてもよい。
【００４５】
また、上記同期プログラム３４は、各素材表示コンポーネントプログラムファイルが上記端末装置４の演算記憶装置６で上記命令実行プログラム２８により実行された時に（ステップ５）、その実行後の上記素材表示コンポーネントプログラムファイルの上記シナリオデータベースに対応した表示開始時間又は上記素材表示コンポーネントプログラムファイルの再生時間に、上記演算記憶装置６に設定したタイマーの経過時間を連動せしめるタイマー連動プログラム（ステップ６）と、素材表示コンポーネントプログラムファイルの上記命令実行プログラム２８の実行により連動したタイマーの経過時間に、上記シナリオデータベースに基づき他の各素材表示コンポーネントウェブページにどの素材ファイルが表示されるのか又は動画ファイルや音声ファイルのどの部分が表示されるのかなど、どの素材ファイル表示情報であるかを判定する第二の判定プログラム（ステップ７）と、上記判定された情報に基づき素材ファイルなどを素材表示コンポーネントウェブページに表示せしめたり、素材ファイルの大きさを変更せしめたりするなど、対応する素材表示コンポーネントウェブページに素材ファイル表示情報を反映せしめる第二の表示プログラム（ステップ８）を有する。
【００４６】
上記タイマー連動プログラムは、例えば、動画再生コンポーネントプログラムや音声再生コンポーネントプログラムファイルを早送りや、指定場所に移動などの命令を実行した場合には、その経過時間に応じて、端末装置４の演算記憶装置６のタイマーを進めたり、指定場所に移動した時の時間までタイマーの時間を変更せしめ、また、解説表示コンポーネントプログラムファイルなどの複数の素材ファイルを順次表示せしめるような素材表示コンポーネントプログラムファイルを次ページなどの命令を実行した場合には、その次ページの表示開始時間に、上記タイマーの時間を変更せしめる。
【００４７】
また、上記判定プログラムは、例えば、他の素材表示コンポーネントプログラムファイルが動画再生コンポーネントプログラムファイルや音声再生コンポーネントプログラムファイルのように同一素材が再生されるものではなく、複数の素材ファイルを所望の時間経過後に順次表示せしめるような素材表示コンポーネントプログラムファイルの場合には、シナリオデータベースに基づき各素材表示コンポーネントプログラムファイルに対応する全ての表示開始時間を抽出し、まず上記タイマーの経過時間が上記表示開始時間と一致するか否かを判定し、一致する場合には、その表示開始時間に対応した素材ファイル（又は素材ファイルの表示変更）を、上記経過時間に対応した素材ファイル（又は素材ファイルの表示変更）と判定し、もし一致しない場合には、上記複数の表示開始時間のどこの間にあるかを判定し、上記判定された２つの表示開始時間のうち、早い時間の側の表示開始時間に対応した素材ファイル（又は素材ファイルの表示変更）などの情報を、経過時間に対応した素材ファイル（又は素材ファイルの表示変更）などの情報であると判定せしめる。
【００４８】
また、他の素材表示コンポーネントプログラムファイルが動画再生コンポーネントプログラムファイルや音声再生コンポーネントプログラムファイルのように同一素材が再生されるもの場合には、タイマー経過時間を上記動画再生コンポーネントプログラムファイルなどの再生時間と判定せしめる。
【００４９】
なお、早送りなどの場合には、早送り終了後の再生時間に対応した素材を表示せしめるほか、早送り途中の複数の再生時間において、順次その再生時間に対応した素材を表示せしめてもよい。
【００５０】
上記タイマー連動プログラム、第二の判定プログラムと上記第二の表示プログラムは、例えば、図６に示すシナリオファイルに基づく場合、パワーポイント表示用コンポーネントウェブページが最初のページを表示している状態から、次に移動などの命令実行プログラムを実行させて次ページを表示せしめた場合、上記次ページを表示せしめる表示開始時間は１分であるから、上記タイマー連動プログラムにより端末装置４の演算記憶装置６のタイマーが１分まで時間が進み、上記第二の判定プログラム及び上記第二の表示プログラムにより、ＩＮＤＥＸ表示用コンポーネントウェブページにシーン２ファイルを表示せしめ、また、動画再生コンポーネントウェブページは１分経過時を再生せしめる。
【００５１】
また、動画再生コンポーネントプログラムファイルが再生時間１分の時に、再生時間８分まで早送りの命令実行プログラムを実行させる場合、例えば、１００ｍｓごとに上記タイマー連動プログラム、判定プログラムと第二の表示プログラムを作動せしめ、例えば、動画再生コンポーネントプログラムファイルが再生時間２分経過時は、上記タイマー連動プログラムによりタイマーは２分まで進むが、各素材表示コンポーネントプログラムの素材ファイルに変更はなく、５分経過時には、上記端末装置４の演算記憶装置６のタイマーを５分まで進め、ＩＮＤＥＸ表示用コンポーネントウェブページにシーン３ファイルを表示せしめ、また、パワーポイント表示コンポーネントウェブページに６ページを表示せしめるとともに、パワーポイント画面を拡大せしめ、８分には、上記端末装置４の演算記憶装置６のタイマーを８分まで進め、ＩＮＤＥＸ表示用コンポーネントウェブページにシーン４ファイルを表示せしめ、また、パワーポイント表示コンポーネントウェブページに３ページを表示せしめるとともに、パワーポイントウェブページ画面を縮小表示せしめる。
【００５２】
また、上記サーバ装置１の記憶部１１に記憶せしめた複合コンテンツ作成用ウェブページファイルは、動画ファイルやイメージファイル等の素材をアップロードするための素材アップロード作業画面ウェブページファイル、複合コンテンツウェブページファイルの画面構成を決定するためのフレーム選択画面ウェブページファイル、各画面に表示せしめる素材表示コンポーネントファイルを選択するパーツ配置画面ウェブページファイル、上記各素材表示コンポーネントファイルに呼び出す素材を選択する素材選択作業画面ウェブページファイル、上記素材表示コンポーネントファイルにより表示される画面の大きさや色等を設定する画面設定画面ウェブページファイル、上記素材表示コンポーネントファイルに選択した素材をそれぞれ表示せしめる時間等を設定するシナリオ設定作業画面ウェブページ、上記作成した複合コンテンツウェブページ編集ウェブページファイル、プレビュー表示ファイル、及び上記各ウェブページファイルに関連するウェブページファイル等がある。
【００５３】
なお、上記素材ファイルとして、本発明の複合コンテンツ表示プログラムファイルを用いてもよく、複合コンテンツ表示プログラムファイルの実行により上記複合コンテンツウェブページに１又は複数の他の複合コンテンツウェブページを表示できるようにしてもよい。
【００５４】
本発明の複合コンテンツ作成システムは上記のような構成であるから、複合コンテンツ作成者は複合コンテンツの作成に必要な動画ファイル、パワーポイントファイルや画像ファイルなどの静止画ファイル、テキスト文書ファイルや関連資料ファイルを端末装置４の演算記憶装置６に記憶せしめる。
【００５５】
次に、複合コンテンツ作成者は上記端末装置４を用いてネットワーク２を介して例えばサーバ装置１に記憶されたポータルサイトファイルにアクセスし、上記端末装置４のモニター３にポータルサイトを表示せしめ、そのポータルサイトから複合コンテンツ作成用初期画面ウェブページファイルにアクセスし、そこから素材アップロード作業画面ウェブページファイルにアクセスし素材アップロード作業画面を表示せしめ、素材アップロードボタンなどを操作することにより、順次素材をサーバ装置の記憶部に記憶せしめる。なお、この際、各素材のファイルパスやタイトル名も記憶せしめる。
【００５６】
次に、図９に示すように、レイアウト選択画面ウェブページファイルにアクセスしてレイアウト選択画面を表示せしめて、サーバ装置１の記憶部１１に複数記憶された複数のレイアウト画面のテンプレートから一つを選択し、作成しようとする複合コンテンツの名称となるプロジェクトタイトル名等を定めて、上記サーバ装置１に記憶せしめる。
【００５７】
次に、例えば、図１０に示すように、上記で選択されたレイアウトのフレームによって分割された１の場面に動画（ビデオ）再生コンポーネントプログラムファイルを表示せしめるように設定せしめるなど、分割された各画面に、どの素材表示コンポーネントプログラムを表示せしめるかを設定し、サーバ装置１の記憶部に記憶せしめる。
【００５８】
次に、素材選択作業画面ウェブページファイルにアクセスして素材選択作業画面を表示せしめ、例えば、図１１に示すように、動画再生コンポーネントプログラムファイルを表示せしめる場所にビデオ１を選択せしめ、上記サーバ装置１の記憶部に記憶せしめる。
【００５９】
なお、例えば、関連資料表示コンポーネントプログラムファイルにおいては、複数の関連資料ファイルを選択せしめ、上記サーバ装置の記憶部に記憶せしめ、他の素材表示コンポーネントプログラムも同様にする。
【００６０】
次に、画面設定画面ウェブページファイルにアクセスして、図１２に示すように、各素材表示コンポーネントプログラムにより表示される画面の大きさや色などを設定し、それぞれの設定を記憶部５に登録する。
【００６１】
次に、シナリオ設定作業画面ウェブページにアクセスして、シナリオ設定作業画面を表示せしめ、各素材表示コンポーネントウェブページに表示される素材ファイルの表示開始時間や終了時間を登録するなど、シナリオを記憶せしめる。
【００６２】
上記作業が全て完了した後に、プレビューボタンをクリックせしめれば、上記複合コンテンツ作成装置により、素材表示コンポーネントプログラム、複合コンテンツ表示プログラム、シナリオファイルが形成され、複合コンテンツを上記端末装置４のモニタ３に表示せしめ、修正がある場合には、上記メニュー画面から必要なボタンをクリックして、削除や編集、追加を行なう。
【００６３】
また、修正がない場合や修正を終えた場合には、上記プロジェクトメニュー画面の公開ボタンをクリックして、上記複合コンテンツを一般に公開せしめる。
【００６４】
これにより、第三者はネットワーク２を介してポータルサイトから他の端末装置４に上記サーバ装置１の記憶部１１から上記複合コンテンツ表示プログラムファイルをダウンロードせしめ、これにより、端末装置のモニタに複合コンテンツウェブページが表示され、また、１又は複数の素材ファイルを順次呼び出す素材表示コンポーネントプログラムファイルが上記端末装置の演算記憶装置により上記端末装置にダウンロードされ、上記モニタ３には、上記シナリオデータベースに従った各素材表示コンポーネントウェブページの初期画面が表示される。
【００６５】
上記複合コンテンツ表示プログラムファイルが開始されれば、上記シナリオデータベースに従って、各素材表示コンポーネントウェブページに素材ファイルがサーバ装置から順次呼び出され、又は素材ファイルが表示変更され、上記各表示部に順次シナリオデータベースに従って内容が反映されるようになる。
【００６６】
また、一の素材表示コンポーネントウェブページに設けられたストップ、次ページ、早送りなどの各命令を操作者が端末装置４より操作せしめれば、上記素材表示コンポーネントプログラムファイルの命令実行プログラムが実行され、上記素材表示コンポーネントウェブページに所定の素材ファイルが表示され（又は素材ファイルの表示変更が表示され）、同時に、他の素材表示コンポーネントプログラムも同期して、上記シナリオデータベースに従った上記他の素材表示コンポーネントウェブファイルに対応する素材ファイルが表示され（又は素材ファイルの表示変更が表示され）るようになる。
【００６７】
本発明の複合コンテンツ作成システムは、素材ファイルの種類ごとに、端末装置のモニタに素材ファイルを表示せしめる専用の素材表示コンポーネントプログラムファイルを複数作成せしめ、また、複数の上記素材表示コンポーネントプログラムファイルを所定の配置で素材表示コンポーネントウェブページとして表示せしめる複合コンテンツ表示プログラムファイルを作成せしめるので、各素材表示コンポーネントプログラムファイル及び複合コンテンツ表示プログラムファイルをそれぞれ独立して作成、編集できるので、複合コンテンツの作成、編集が容易であるという大きな利益がある。
【００６８】
また、複合コンテンツ表示プログラムは、各素材表示コンポーネントプログラムファイルを実行せしめ、サーバ装置の記憶部に記憶された素材ファイルを順次呼び出すようにした。
【００６９】
また、複合コンテンツ表示プログラムにタイマープログラム部を設け時間を管理せしめ、このタイマープログラム部により上記端末装置の演算記憶装置で実行されるタイマーの経過時間に基づいて、上記各素材表示コンポーネントプログラムファイルを実行せしめ動かすので、従来のように動画ファイルの時間経過に依存することがないので、複数の動画ファイルなどを複合コンテンツに組み込むことができるなど、複合コンテンツの作成の自由度を大きくすることができるようになる。
【００７０】
また、上記素材表示コンポーネントプログラムファイルに各素材ファイルを表示又は素材ファイルの表示方法の制御のための命令実行プログラムを設け、また、上記複合コンテンツ表示プログラムにタイマー連動プログラムを設けたので、各素材表示コンポーネントプログラムファイルに他の素材表示コンポーネントプログラムファイルを容易に連動せしめることができる。
【図面の簡単な説明】
【００７１】
【図１】本発明の複合コンテンツ作成システムの構成図である。
【図２】本発明の端末装置の説明図である。
【図３】本発明の素材表示コンポーネントプログラムの説明図である。
【図４】本発明の複合コンテンツ表示プログラムファイルの説明図である。
【図５】本発明の複合コンテンツ表示プログラムファイルを実行せしめて端末装置のモニタに表示される画面の説明図である。
【図６】本発明の複合コンテンツ表示プログラムに用いられるシナリオデータファイルの説明図である。
【図７】本発明の同期プログラムの説明図である。
【図８】本発明の同期プログラムの説明図である。
【図９】本発明の複合コンテンツ作成システムの複合コンテンツ作成中の端末装置のモニタに表示される画面の説明図である。
【図１０】本発明の複合コンテンツ作成システムの複合コンテンツ作成中の端末装置のモニタに表示される画面の説明図である。
【図１１】本発明の複合コンテンツ作成システムの複合コンテンツ作成中の端末装置のモニタに表示される画面の説明図である。
【図１２】本発明の複合コンテンツ作成システムの複合コンテンツ作成中の端末装置のモニタに表示される画面の説明図である。
【符号の説明】
【００７２】
１  サーバ装置
２  ネットワーク
３  モニタ
４  端末装置
５  送受信装置
６  演算記憶装置
７  画像処理部
８  入力装置
９  入力部
１０  ネットワーク接続部
１１  記憶部
１２  受信部
１３  送信部
１４  複合コンテンツ作成装置
１５  編集装置
１６  サーバ装置側動画再生装置
１７  演算処理部
１８  ネットワーク接続部
１９  ウェブサーバ
２０  運用管理部
２１  顧客管理部
２２  データベース
２３  素材表示コンポーネントプログラムファイル作成装置
２４  複合コンテンツ表示プログラムファイル作成装置
２５  ウェブページ情報データ
２６  素材ファイル情報データ
２７  素材表示プログラム部
２８  命令実行プログラム部
２９  ウェブページ情報データ
３０  コンポーネント情報データ
３１  表示プログラム部
３２  タイマープログラム部
３３  シナリオデータ呼び出し部
３４  同期プログラム部
３５  複合コンテンツウェブページ
３６  素材表示コンポーネントウェブページ
【図１】
2010039549.tif 000003
【図２】
2010039549.tif 000004
【図３】
2010039549.tif 000005
【図４】
2010039549.tif 000006
【図５】
2010039549.tif 000007
【図６】
2010039549.tif 000008
【図７】
2010039549.tif 000009
【図８】
2010039549.tif 000010
【図９】
2010039549.tif 000011
【図１０】
2010039549.tif 000012
【図１１】
2010039549.tif 000013
【図１２】
2010039549.tif 000014